(57)【要約】【課題】適度な伸縮性を保ちながら用途に応じて肉厚を厚くすることができるものであって、弱い力でも伸縮可能として弱い力による野筋力トレーニングができるとともに、紫外線の透過による劣化を引き起こしにくく破損が生じにくい健康器具を得る。【解決手段】アスカーＣ硬度が１５°〜４０°、伸び率が３００％〜１０００％である軟弾性材製のゲル材にて形成したゲルチューブ1と、このゲルチューブ1よりも長尺であって、このゲルチューブ1内に螺旋状に挿通配置されたロープ2とを備え、このロープ2の両端3,4は、ゲルチューブ1の両端11,16よりも外方に突出配置されるとともに、このロープ2とゲルチューブ1とがゲルチューブ1の両端部にて固定され、ロープ2の両端3,4を離反方向に引っ張ることにより、ゲルチューブ1を伸張可能とする。【選択図】図１
2017077331.tif 000002
【特許請求の範囲】
【請求項１】
アスカーＣ硬度が１５°〜４０°、伸び率が３００％〜１０００％である軟弾性材製のゲル材にて形成したゲルチューブと、このゲルチューブよりも長尺であって、このゲルチューブ内に螺旋状に挿通配置されたロープとを備え、このロープの両端は、ゲルチューブの両端よりも外方に突出配置されるとともに、このロープとゲルチューブとがゲルチューブの両端部にて固定され、ロープの両端を離反方向に引っ張ることにより、ゲルチューブを伸張可能としたことを特徴とする運動器具。
【請求項２】
ロープは、ゲルチューブの両端部に対応する位置に、ゲルチューブの内径よりも径大な外径を有する係止駒をそれぞれ固定配置し、このロープをゲルチューブ内に挿通配置した状態で上記係止駒の外周をゲルチューブの内周に密着配置するとともに、係止駒の配置位置よりも更にゲルチューブの先端側に、内径を係止駒の外径よりも径小とするとともに内面をゲルチューブの外周面に密着可能とした係止筒を挿通配置することにより、ロープをゲルチューブの両端部にて固定可能としたことを特徴とする請求項１の運動器具。
【請求項３】
ゲルチューブの両端部には、軟弾性材製のゲル材にて形成するとともに係止筒を被覆したゲルカバーを装着したことを特徴とする請求項２の運動器具。
【請求項４】
ロープは、両端を環状に形成したことを特徴とする請求項１〜３のゲルチューブ。
【発明の詳細な説明】
【技術分野】
【０００１】
本発明は、特に筋力トレーニング等に用いる運動器具に関するものである。
【背景技術】
【０００２】
従来より、特許文献１に示す如く、天然ゴムにて形成したゴムチューブが健康器具として知られている。そして、このゴムチューブの伸縮性を利用して長さ方向に引っ張ることにより筋肉に負荷をかけることができることから、筋力向上等を目的とした様々なトレーニングに使用されている。
【先行技術文献】
【特許文献】
【０００３】
【特許文献１】実登３０３６９７９号公報
【発明の開示】
【発明が解決しようとする課題】
【０００４】
しかしながら、ゴムチューブとして一般的に使用される天然ゴムは、ＪＩＳ硬度が３０°程度であって硬度の下限に限界がある。そのため、伸び弾性係数を小さくするためにはゴムチューブの肉厚を薄く、外径を小さくしなければならなかった。よって、このような肉厚が薄く外径の小さいゴムチューブに、トレーニングによる大きな負荷が断続的に加わった場合には、ゴムチューブの耐久性が損なわれて使用中に破断するおそれがあった。
【０００５】
また、野球のピッチャーのトレーニングのように、弱い力で筋力をストレッチしたり鍛えようとしたりしても、上記の如くゴムチューブの肉厚と径の大きさには限界があるため、弱い力による筋力トレーニングに対しては不向きであった。また、ゴムチューブの肉厚を薄くした場合には、屋外で使用した際に紫外線による透過を受けやすくなり、経時的な紫外線照射による劣化が早まって製品の寿命が短くなるおそれがある。
【０００６】
そこで、本発明は上述の如き課題を解決しようとするものであって、適度な伸縮性を保ちながら用途に応じて肉厚を厚くすることができる上に、弱い力でも伸縮可能として弱い力による筋力トレーニングができるとともに、紫外線の透過による劣化を引き起こしにくく破損が生じにくい健康器具を得ようとするものである。
【課題を解決するための手段】
【０００７】
本発明は上述の如き課題を解決するため、アスカーＣ硬度が１５°〜４０°、伸び率が３００％〜１０００％である軟弾性材製のゲル材にて形成したゲルチューブと、このゲルチューブよりも長尺であって、このゲルチューブ内に螺旋状に挿通配置されたロープとを備え、このロープの両端は、ゲルチューブの両端よりも外方に突出配置されるとともに、このロープとゲルチューブとがゲルチューブの両端部にて固定され、ロープの両端を離反方向に引っ張ることにより、ゲルチューブを伸張可能としたものである。
【０００８】
このようにアスカーＣ硬度が１５°〜４０°、伸び率が３００％〜１０００％である軟弾性材製のゲル材にて形成したゲルチューブを使用することにより、天然ゴムと同じ弾性定数とした場合でも天然ゴムよりも硬度が低く、伸びが大きいものとなるため、ゲルチューブの肉厚を天然ゴムよりも厚いものとすることができる。よって、天然ゴムよりも紫外線の透過による劣化を生じにくいものとすることができる。
【０００９】
また、ゲルチューブよりも長尺なロープをゲルチューブ内において螺旋状に挿通配置しているため、この螺旋状のロープをゲルチューブの伸縮に追随して伸縮させることができるとともに、ロープをゲルチューブの両端にて固定していることから、ゲルチューブから突出しているロープの両端を互いに離反方向に引っ張ることにより、ゲルチューブ自身の伸縮力を発揮することができる。
【００１０】
また、万が一ゲルチューブが破断したとしても、ロープが破断するまでの強度に耐えることができるため、使用中に本発明の運動器具が完全に２つに分断してしまうという事態を防いで安全に使用することができる。また、ゲルチューブは天然ゴムよりも硬度が低いため、弱い力による伸縮が容易となり弱い力でのストレッチや筋力強化にも効果を発揮することができる。
【００１１】
また、ロープは、ゲルチューブの両端部に対応する位置に、ゲルチューブの内径よりも径大な外径を有する係止駒をそれぞれ固定配置し、このロープをゲルチューブ内に挿通配置した状態で上記係止駒の外周をゲルチューブの内周に密着配置するとともに、係止駒の配置位置よりも更にゲルチューブの先端側に、内径を係止駒の外径よりも径小とするとともに内面をゲルチューブの外周面に密着可能とした係止筒を挿通配置することにより、ロープをゲルチューブの両端部にて固定可能としたものであってもよい。
【００１２】
上記の如く形成することにより、ロープとゲルチューブとを、ゲルチューブの両端にて係止駒及び係止筒を介してしっかりと固定することができる。そのため、ゲルチューブから突出したロープの両端を引っ張ることにより、ゲルチューブを確実に伸張させることができるため、ゲルチューブ自体の軟弾性を効果的に生かした筋力トレーニングが可能となる。
【００１３】
また、ゲルチューブの両端部には、軟弾性材製のゲル材にて形成するとともに係止筒を被覆したゲルカバーを装着したものであってもよい。このように係止筒にゲルカバーを被覆することにより、係止筒を硬い材質によって形成した場合でも表面にゲル素材が配置されるため使用者は安全に使用することができるとともに、触感が柔らかくなり快適に使用することが可能となる。
【００１４】
また、ロープは、両端を環状に形成したものであってもよい。このように環状に形成することにより、ロープの両端を手で把持したり目的物に接続固定することが容易となる。
【発明の効果】
【００１５】
本発明は上記の如く構成したものであるから、天然ゴムと同じ弾性定数とした場合でも天然ゴムよりも硬度が低く、伸びが大きいものを作ることができるため、天然ゴムよりも肉厚を厚くすることができ、紫外線の透過による劣化を生じにくいものとすることができる。
【００１６】
また、ゲルチューブよりも長尺なロープをゲルチューブ内に螺旋状に挿通配置しているため、この螺旋状のロープをゲルチューブの伸縮に追随して伸縮させることができるとともに、ロープをゲルチューブの両端側で伸縮自在に固定配置していることから、ゲルチューブから突出しているロープの両端を互いに離反方向に引っ張ることにより、ゲルチューブ自身の伸縮力を十分に発揮することができる。
【００１７】
また、万が一ゲルチューブが破断したとしても、ロープが破断するまでの強度に耐えることができるため、本発明の運動器具が使用中に完全に２つに分断してしまうという事態を防ぐことができ、安全に使用することができる。また、ゲルチューブは天然ゴムよりも硬度が低いため、天然ゴムのチューブでは困難であった弱い力による伸縮が容易となり、弱い力でのストレッチや筋力トレーニングにも優れた効果を発揮することができる。
【図面の簡単な説明】
【００１８】
【図１】本発明の実施例１を示す平面図。
【図２】図１の部分拡大平面図。
【図３】図２の断面図。
【図４】(a)実施例１において係止筒及びゲルカバーを装着していない状態を示す平面図。                                                                              (b)実施例１においてゲルカバーを装着していない状態を示す平面図。
【図５】図２のＡ−Ａ線断面図。
【図６】実施例１を伸張させた状態を示す平面図。
【図７】実施例１の一使用例を示す概念図。
【図８】実施例１の他の使用例を示す概念図。
【発明を実施するための形態】
【００１９】
本発明で使用するゲルチューブは、付加重合系熱可塑性ブロック弾性体及びパラフィン系オイルを主成分として、押出成形でチューブ状に成形している。また、上記の付加重合系熱可塑性ブロック弾性体は、ポリスチレンブロックと水添又は非水添のポリイソプレンブロックとからなるブロック共重合体、又はポリスチレンブロックと水添又は非水添のポリブタジエンブロックとからなるブロック共重合体の何れかを用いることが可能である。また、付加重合系熱可塑性ブロック弾性体は、例えば全体の数平均分子量が５，０００〜５００，０００の範囲にあり、ポリスチレンブロック単位の含有量が１０〜５０ｗｔ％であり、かつポリイソプレンブロック単位又はポリブタジエンブロック単位の二重結合の７０％以上が水添されたものがより好ましく用いられる。また、ポリスチレンブロック単位の重量平均分子量としては５，０００〜１３０，０００、ポリイソプレンブロック単位又はポリブタジエンブロック単位の重量平均分子量としては１０，０００〜３００，０００のものを例示することができる。
【００２０】
さらに具体的には、ポリスチレンブロックと水添又は非水添のポリイソプレンブロックとからなる付加重合系熱可塑性ブロック弾性体として、飽和型のジブロック及びトリブロックタイプのスチレンエチレンプロピレン（ＳＥＰ）やスチレンエチレンプロピレンスチレン（ＳＥＰＳ）を用いることが好ましい。また、ポリスチレンブロックと水添又は非水添のポリブタジエンブロックとからなる付加重合系熱可塑性ブロック弾性体としては、スチレンエチレンブタジエン（ＳＥＢ）やスチレンエチレンブタジエンスチレン（ＳＥＢＳ）を用いることが好ましい。
【００２１】
また、ゲルチューブはアスカーＣ硬度を１５°〜４０°とする。このアスカーＣ硬度を１５°未満とすると、伸張時にトレーニングに必要な負荷を十分にかけることができなくなるため、トレーニングによる効果を発揮することが困難となる。一方、アスカーＣ硬度を４０°より大きくすると、従来使用されていたゴムチューブと同じく伸び弾性係数を小さくするためにはゴムチューブの肉厚を薄く、外径を小さくしなければならず、ゴムチューブと同様の問題が生じるものとなる。
【００２２】
また、ゲルチューブの伸び率は、３００％〜１０００％とする。ゲルチューブの伸び率を３００％未満とすると、トレーニングに十分な負荷と伸びを得ることが出来ないため、運動器具として使用することが困難となる。また、ゲルチューブの伸び率が１０００％を超えると、ゲルチューブが伸びやすくなるため、この伸びによってゲルチューブの形状が著しく変化し、ゲルチューブとロープとを固定することが困難となる。
【００２３】
また、ゲルチューブは、厚さ５mm以上７mm以下の範囲内で形成するのが好ましい。ゲルチューブの厚さを５mm未満とすると、薄すぎて伸張時に負荷を十分かけることが困難となるとともに紫外線の透過による劣化が生じ易いものとなる。また、ゲルチューブの厚さが７mmを超えると、製品自体の重さが重くなり使用者に不必要な負荷をかけることになる。
【実施例１】
【００２４】
本実施例の運動器具について以下に詳細に説明すると、図１に示す(1)はゲルチューブであって、アスカーＣ硬度が３０°、伸び率が５００％である。またこのゲルチューブ(1)は、長さを６１０mm、肉厚の厚さを６mmとするとともに、透明である。
【００２５】
またこのゲルチューブ(1)には、図１に示す如くこのゲルチューブ(1)よりも長尺なロープ(2)を、図２に示す如く螺旋状に挿通配置している。このロープ(2)のゲルチューブ(1)への挿通方法について以下に説明すると、まず、ロープ(2)の長さは、ゲルチューブ(1)よりも長い３０００mmである。そしてこのゲルチューブ(1)にロープ(2)を挿通し、このロープ(2)の一端(3)をゲルチューブ(1)の一端(11)から外方に４００mm程突出させて、この突出部分を環状にして環状部(5)を形成する。
【００２６】
この時点では、上記の如くゲルチューブ(1)よりもロープ(2)の方がはるかに長尺であるため、ゲルチューブ(1)の他端(16)側からロープ(2)の長尺な他端(4)が突出配置された状態となる。そして図３に示す如く、ロープ(2)の一端(3)に形成した環状部(5)の基端部(6)に結び目(7)を形成し、中心に貫通穴(8)を設けたゴム製で筒形の係止駒(10)を、上記環状部(5)側から挿通し、貫通穴(8)にて環状部(5)の結び目(7)を挿入固定する。これにより、ロープ(2)の一端(3)側に係止駒(10)が固定配置された状態となる。
【００２７】
また図２に示す如く、係止駒(10)の結び目(7)形成側とは反対側にも、第２結び目(30)を設けている。これにより、係止駒(10)の両側に結び目(7)(30)が形成されるものとなることから、係止駒(10)からロープ(2)を更に抜けにくくすることができる。尚、本実施例では上記の如く、結び目(7)(30)を形成することによって係止駒(10)からロープ(2)を抜けにくいものとしているが、他の実施例ではこれに限らず、係止駒(10)の両側に金属製の留具(図示せず。)等をロープ(2)に固定することにより、該ロープ(2)の係止駒(10)からの抜けを防止することも可能である。
【００２８】
また、上記の如くロープ(2)に固定した係止駒(10)は、その外径をゲルチューブ(1)の内径よりも径大としている。そのため、上記の如くロープ(2)の一端(3)側に固定した係止駒(10)をゲルチューブ(1)の一端(11)から内方にゲルチューブ(1)を拡開させながら挿入配置する。これにより、図４(a)、図５に示す如くゴム製の係止駒(10)の外周(12)がゲルチューブ(1)の内周(13)に密着して係止駒(10)がゲルチューブ(1)に離脱困難な状態で固定されるものとなるため、ゲルチューブ(1)の一端(11)に(10)を介してロープ(2)の一端(3)側が固定された状態となる。
【００２９】
そしてこのような状態で、ゲルチューブ(1)から長尺に突出したロープ(2)の他端(4)側にも環状部(14)、及び結び目(15)を形成し、更に係止駒(26)をロープ(2)に挿通固定した状態で第２結び目(31)を形成する。そしてこのゲルチューブ(1)の他端(16)側を、上記の如くゲルチューブ(1)の他端(16)から長尺に突出したロープ(2)に沿ってこのロープ(2)の他端(4)側まで伸張し、図１に示す如くロープ(2)の他端(4)側の係止駒(26)をゲルチューブ(1)の他端(16)側に挿入配置する。
【００３０】
上記の如く、ロープ(2)の両端側に固定配置した係止駒(10)(26)をゲルチューブ(1)内に挿入配置することにより、図４(a)に示す如くゲルチューブ(1)の内周(13)と係止駒(10)(26)の外周(12)が密着するとともに、ゲルチューブ(1)の収縮力によって係止駒(10)(26)がゲルチューブ(1)内に保持された状態となることから、ロープ(2)がゲルチューブ(1)の両端側で固定されるものとなる。  
【００３１】
そして上記の如くゲルチューブ(1)を伸張した状態でロープ(2)の一端(3)側及び他端(4)側を固定した後、ゲルチューブ(1)の伸張を解除することによりゲルチューブ(1)が収縮する。この収縮により、図１、２に示す如くロープ(2)のゲルチューブ(1)内に位置する部分が、ゲルチューブ(1)の内周(13)との摩擦によって螺旋状となる。尚、万が一ゲルチューブ(1)が破断したとしても、ロープ(2)が破断するまでの強度に耐えることができるため、本発明の運動器具が使用中に完全に２つに分断してしまうという事態は生じにくく安全な使用ができる。
【００３２】
上記の如くロープ(2)をゲルチューブ(1)の両端(11)(16)側で伸縮自在に固定配置していることから、ゲルチューブ(1)から突出しているロープ(2)の両端(3)(4)を図６の矢印にて示す離反方向に引っ張ることにより、ゲルチューブ(1)自身の伸縮力によって本実施例の運動器具を伸縮することができる。また、ゲルチューブ(1)よりも長尺なロープ(2)をゲルチューブ(1)内に螺旋状に挿通配置しているため、図１、６の矢印にて示す如くこの螺旋状のロープ(2)をゲルチューブ(2)の伸縮に追随して伸縮させることができる。
【００３３】
ここで、ゲルチューブ(1)とロープ(2)との固定を更に強固なものにするために、上記の如く係止駒(10)(26)にてロープ(2)を固定したゲルチューブ(1)の更に先端(27)側に、内径を係止駒(10)(26)の外径よりも径小とするとともに内面(17)をゲルチューブ(1)の外周面(28)に密着可能とした係止筒(18)を、図４(b)に示す如く挿通配置している。
【００３４】
尚、この係止筒(18)はアクリル樹脂製であってゲルチューブ(1)の外周面(28)と係止筒(18)の内面(17)が密着固定されるため、ロープ(2)のみを引っ張っても、係止駒(10)(26)が係止筒(18)に係止するため、ロープ(2)がゲルチューブ(1)から抜けてしまうという事態が生じにくいものとなる。
【００３５】
更に、上記の如く係止筒(18)を装着したゲルチューブ(1)の両端には、図２に示す如くゲルチューブ(1)と同じ素材のゲル材にて形成した筒状のゲルカバー(20)を、上記の如くゲルチューブ(1)の両端側の係止筒(18)に被覆装着する。このようにゲルカバー(20)を装着することにより、係止筒を硬い材質によって形成した場合でも表面がゲル素材となるため使用者は安全に使用することができるとともに、触感が柔らかくなり快適に使用することが可能となる。
【００３６】
これにより本実施例の運動器具が完成した状態となる。このように形成した本実施例の運動器具の具体的な使用例を、図７、８に示す。図７では、使用者の腰に腰ベルト(21)を巻き付け、この腰ベルト(21)に設けた環状の金具(22)に本実施例の一端側の環状部(5)を接続するとともに、他端側の環状部(14)を地面に固定した固定部材(23)に接続してトレーニングを行っている。
【００３７】
また図８では、足ベルト(24)を使用者の両足首に巻き付けて、各足ベルト(24)に設けた環状の金具(25)にそれぞれ本実施例の一端側の環状部(5)を接続するとともに、他端側の環状部(14)を固定部材(図示せず。)に接続してトレーニングを行っている。このように、本実施例の運動器具を用いて、様々な用途に応じた様々なトレーニングを行うことができる。
【００３８】
本実施例の運動器具は上記の如く、ロープ(2)の両端(3)(4)を引っ張ることによりゲルチューブ(1)が自身の伸縮力によって伸張するものであって、このゲルチューブ(1)のアスカーＣ硬度は３０°であるから、生ゴムよりも硬度が低く伸びが大きいため、生ゴムと同じ弾性定数とした場合、生ゴムよりも径が太く、且つ肉厚を厚くすることができる。
【００３９】
従って、紫外線の透過による劣化を引き起こしにくいものとすることが出来る。また、ゲルチューブは天然ゴムよりも硬度が低く弱い力でも容易に伸縮することができるため、ゴムチューブでは困難であった弱い力による筋力トレーニングが可能となり、様々な種類のトレーニングへの応用範囲を広げることができる。
【符号の説明】
【００４０】
１  ゲルチューブ
２  ロープ
３  一端(ロープ)
４  他端(ロープ)
１０、２６  係止駒
１１  一端(ゲルチューブ)
１２  外周
１３  内周
１６  他端
１７  内面
１８  係止筒
２０  ゲルカバー
２７  先端
２８  外周面
【図１】
2017077331.tif 000003
【図２】
2017077331.tif 000004
【図３】
2017077331.tif 000005
【図４】
2017077331.tif 000006
【図５】
2017077331.tif 000007
【図６】
2017077331.tif 000008
【図７】
2017077331.tif 000009
【図８】
2017077331.tif 000010